(57)【要約】【課題】画像形成装置において、ユーザの意思に基づいて、排出される記録媒体の向きを統一する。【解決手段】ユーザが、所定サイズの記録媒体を縦向きに搬送し、縦向きに搬送される上記記録媒体に応じた画像を形成し、画像が形成された上記記録媒体を縦向きに排出する縦画像形成モードと、上記所定サイズの記録媒体を横向きに搬送し、横向きに搬送される上記記録媒体に応じた画像を形成し、画像が形成された上記記録媒体を横向きに排出する横画像形成モードとを任意に設定可能とする。【選択図】図１
2008216326.tif 000002
【特許請求の範囲】
【請求項１】
予め設定された所定サイズの記録媒体を縦向きあるいは横向きにて搬送し、搬送された記録媒体に画像を形成し、前記搬送時と同一の向きにて前記記録媒体を排出する画像形成装置であって、  
所定サイズの記録媒体を縦向きに搬送し、縦向きに搬送される前記記録媒体に応じた画像を形成し、画像が形成された前記記録媒体を縦向きに排出する縦画像形成モードと、前記所定サイズの記録媒体を横向きに搬送し、横向きに搬送される前記記録媒体に応じた画像を形成し、画像が形成された前記記録媒体を横向きに排出する横画像形成モードとを設定可能な制御手段と、
前記制御手段における前記縦画像形成モードあるいは前記横画像形成モードを選択可能な操作手段と、
前記縦画像形成モードが選択されている場合に、前記所定サイズに対応する画像データを、縦向きに搬送される前記記録媒体に応じた画像形成データとして出力し、前記横画像形成モードが選択されている場合に、前記所定サイズに対応する画像データを、横向きに搬送される前記記録媒体に応じた画像形成データとして出力する画像データ処理手段と、
前記画像データ処理手段から入力される前記画像形成データに基づいて前記記録媒体に画像を形成する画像形成手段と
を備えることを特徴とする画像形成装置。
【請求項２】
前記所定サイズが複数サイズ存在し、異なる大きさの前記所定サイズに応じた画像データを含む複数の画像データを連続して処理する場合に、前記所定サイズの画像データの全てに対して、前記縦画像形成モードあるいは前記横画像形成モードのいずれか一方のモードが設定されることを特徴とする請求項１記載の画像形成装置。
【請求項３】
前記画像データを予め記憶する記憶手段を備えることを特徴とする請求項１または２記載の画像形成装置。
【請求項４】
縦向きあるいは横向きのいずれかの向きにのみ搬送可能な特定サイズに応じた画像データを処理する場合に、該が追うデータを処理する間のみ前記制御手段は、特定サイズが搬送可能な向きに対応した前記縦画像形成モードあるいは前記横画像形成モードに切り替えることを特徴とする請求項１〜３いずれかに記載の画像形成装置。
【発明の詳細な説明】
【技術分野】
【０００１】
本発明は、画像形成装置に関するものである。
【背景技術】
【０００２】
従来より、複合機等の画像形成装置のなかには、ユーザの利便性向上を目的とする様々な機能を有するものがある。例えば、特許文献１には、自動用紙選択機能やオート回転機能を有する画像形成装置が記載されている。
自動用紙選択機能は、画像データに応じたサイズの記録媒体を自動的に選択する機能である。この自動用紙選択機能によって、ユーザが記録媒体のサイズを選択することなく、最適なサイズの記録媒体が選択される。
オート回転機能は、画像データの向きと記録媒体の向きとを比較し、画像データに応じた向きの記録媒体がない場合に、画像データを９０°回転させてから再度画像データに応じた向きの記録媒体を探す機能である。このオート回転機能によって、適した向きの記録媒体がない場合に、ユーザが操作することなく、他の向きの記録媒体を選択することができる。
【特許文献１】特開２０００−１６２９２４号公報
【発明の開示】
【発明が解決しようとする課題】
【０００３】
ところで、自動用紙選択機能及びオート回転機能を有する画像形成装置では、向きが異なる画像データを連続して処理する場合であっても、所定の条件が重なった場合には、排出される記録媒体の向きが統一される場合がある。すなわち、自動用紙選択機能にて所定のサイズ（例えば、Ａ４サイズ）の記録媒体が選択され、さらに所定のサイズの記録媒体を縦向きあるいは横向きのいずれか一方のみでしか搬送できない場合には、向きが異なる画像データであっても、縦向きあるいは横向きのいずれか一方の記録媒体に画像形成されて排出されるため、排出される記録媒体の向きが統一される。
しかしながら、このような排出される記録媒体の向きの統一は、上述の自動用紙選択機能及びオート回転機能にて所定の条件が重なって生じるものであり、ユーザの意思に基づくものではない。仮に、所定のサイズの記録媒体を縦向き及び横向きに搬送可能である場合は、縦向きの画像データに基づく画像は縦向きに搬送される記録媒体に形成され、横向きの画像データに基づいて画像は横向きに搬送される記録媒体に形成される。
排出後の作業を考慮して、排出される記録媒体の向きを統一させたいという要望があるものの、従来の画像形成装置では、上述の自動用紙選択機能及びオート回転機能を有するものに限らず、排出される記録媒体の向きを統一することのできる画像形成装置は提案されていない。
【０００４】
本発明は、上述する問題点に鑑みてなされたもので、画像形成装置において、ユーザの意思に基づいて、排出される記録媒体の向きを統一することを目的とする。
【課題を解決するための手段】
【０００５】
上記目的を達成するために、本発明の画像形成装置は、予め設定された所定サイズの記録媒体を縦向きあるいは横向きにて搬送し、搬送された記録媒体に画像を形成し、上記搬送時と同一の向きにて上記記録媒体を排出する画像形成装置であって、所定サイズの記録媒体を縦向きに搬送し、縦向きに搬送される上記記録媒体に応じた画像を形成し、画像が形成された上記記録媒体を縦向きに排出する縦画像形成モードと、上記所定サイズの記録媒体を横向きに搬送し、横向きに搬送される上記記録媒体に応じた画像を形成し、画像が形成された上記記録媒体を横向きに排出する横画像形成モードとを設定可能な制御手段と、上記制御手段における上記縦画像形成モードあるいは上記横画像形成モードを選択可能な操作手段と、上記縦画像形成モードが選択されている場合に、上記所定サイズに対応する画像データを、縦向きに搬送される上記記録媒体に応じた画像形成データとして出力し、上記横画像形成モードが選択されている場合に、上記所定サイズに対応する画像データを、横向きに搬送される上記記録媒体に応じた画像形成データとして出力する画像データ処理手段と、上記画像データ処理手段から入力される上記画像形成データに基づいて上記記録媒体に画像を形成する画像形成手段とを備えることを特徴とする。
【０００６】
また、本発明の画像形成装置においては、上記所定サイズが複数サイズ存在し、異なる大きさの上記所定サイズに応じた画像データを含む複数の画像データを連続して処理する場合に、上記所定サイズの画像データの全てに対して、上記縦画像形成モードあるいは上記横画像形成モードのいずれか一方のモードが設定されるという構成を採用する。
【０００７】
また、本発明の画像形成装置においては、上記画像データを予め記憶する記憶手段を備えるという構成を採用する。
【０００８】
また、本発明の画像形成装置においては、縦向きあるいは横向きのいずれかの向きにのみ搬送可能な特定サイズに応じた画像データを処理する場合に、該が追うデータを処理する間のみ上記制御手段は、特定サイズが搬送可能な向きに対応した上記縦画像形成モードあるいは上記横画像形成モードに切り替えるという構成を採用する。
【発明の効果】
【０００９】
本発明の画像形成装置によれば、制御手段における縦画像形成モードあるいは横画像形成モードを選択可能な操作手段を備え、ユーザによって該操作手段を介して縦画像形成モードあるいは横画像形成モードが選択される。そして、縦画像形成モードが選択された場合には、排出される所定サイズの記録媒体は全て縦向きとなる。また、横画像形成モードが選択された場合には、排出される所定サイズの記録媒体は全て横向きとなる。
したがって、本発明の画像形成装置によれば、画像形成装置において、ユーザの意思に基づいて、排出される記録媒体の向きを統一することが可能となる。
【発明を実施するための最良の形態】
【００１０】
以下、図面を参照して、本発明に係る画像形成装置の一実施形態について説明する。なお、以下の図面において、各部材を認識可能とするために、各部材の縮尺を適宜変更している。また、以下の説明においては、本発明の画像形成装置の一例として複合機を挙げて説明する。
【００１１】
図１は、本実施形態の複合機１００の一部の外観を示す斜視図である。図２は、複合機１００の機能構成を示すブロック図である。これらの図に示すように、複合機１００は、操作表示部１（操作手段）、通信インタフェース２、原稿読取装置（ＡＤＦ）３、画像記憶部４（記憶手段）、画像処理部５（画像データ処理手段）、印刷部６（画像形成手段）、給紙装置７及び制御部８（制御手段）を備えている。
【００１２】
操作表示部１は、操作キー１ａや表示パネル１ｂ等を備えている。
操作キー１ａは、ユーザから複合機１００に対する操作指示を受け付けるものであって、ユーザによる操作指示に応じた信号を制御部８に出力する。表示パネル１ｂは、制御部８による制御の下に、ユーザが複合機１００の動作状況を認識するための画像を表示するものである。
そして、本実施形態の複合機１００においては、操作表示部１において後述する縦印刷モードと横印刷モードとをユーザが選択可能とされている。
【００１３】
通信インタフェース２は、制御部８による制御の下に、ローカルエリアネットワークＮを介してパーソナルコンピュータｔ１，ｔ２，…，ｔｎと各種情報の送受信を行う。
ローカルエリアネットワークＮは、例えば同一社内全域に亘って有線ないし無線にて敷設され、該社内における情報の受け渡しを電子データの送受信にて可能とするものである。そして、複合機１００とパーソナルコンピュータｔ１，ｔ２，…，ｔｎとを通信可能に接続している。
【００１４】
原稿読取装置３は、原稿自動送り装置及びスキャナを備えている。このような原稿読取装置３は、制御部８による制御の下に、原稿自動送り装置から供給された原稿の画像をスキャナで順次読み取り、原稿画像の画像データを画像記憶部４に出力する。この画像データは、原稿画像の上下左右を示す向き情報を含んでいる。
画像記憶部４は、ハードディスク等の外部記憶装置、半導体メモリ等から構成されており、原稿読取装置３から出力される画像データを一時的に記憶する。この画像記憶部４は、制御部８による制御の下に、上記画像データの書き込みを行うと共に、当該画像データを読み出して画像処理部５に出力する。
なお、画像記憶部４は、原稿読取装置３から入力される画像データのみならず、ローカルエリアネットワークＮを介してパーソナルコンピュータｔ１，ｔ２，……，ｔｎから入力される画像データも記憶可能とされている。また、画像記憶部４は、関連のある複数の画像データをドキュメントとしてまとめ、このドキュメントを複数記憶することができる。
【００１５】
画像処理部５は、制御部８による制御の下で、画像記憶部４から入力された画像データを必要に応じて回転や拡大／縮小、濃度調節等の画像処理を施しつつ印刷用の画像データ（画像形成データ）に変換して、印刷部６に出力する。
印刷部６は、周知の感光体ドラムや静電潜像書込装置、現像装置、定着装置等からなるものであって、制御部８による制御の下に、給紙装置７から給紙された印刷紙（記録媒体）を搬送しつつ当該印刷紙にトナーを付着させることにより、画像処理部５から入力される画像データに基づいた印刷画像を印刷紙上に形成し、印刷画像が形成された印刷紙を排出する。
【００１６】
給紙装置７は、複数段の給紙カセット７１，７２，７３，７４，７５，７６を備え、各給紙カセット７１〜７６に各々サイズや向きが異なる印刷紙を収納している。
最上段の給紙カセット７１には、Ｂ５の印刷紙が縦置き（Portrait）で収納され、この給紙カセット７１に並列して設けられている給紙カセット７２には、Ａ４の印刷紙が縦置きで収納されている。また、上記給紙カセット７１，７２の下段の給紙カセット７３には、Ａ３の印刷紙が横置き（Landscape）で収納されている。更に下段の給紙カセット７４にはＢ４の印刷紙が横置きで収納され、給紙カセット７５にはＡ４の印刷紙が横置きで収納され、そして最下段の給紙カセット７６にはＢ５の印刷紙が横置きで収納されている。
このような給紙装置７は、制御部８による制御の下で、適するサイズ及び向きの印刷紙を印刷部６へ給紙する。なお、縦置きで収納された印刷紙は、縦向きに印刷部６に給紙され、縦向きのまま排紙トレイ９に排出される。また、横置きで収納された印刷紙は、横向きに印刷部６に給紙され、横向きのまま排紙トレイ９に排出される。
【００１７】
制御部８は、内部メモリ、ＣＰＵ（Central Processing Unit）、及び他の各部（つまり、操作表示部１、通信インタフェース２、原稿読取装置３、画像記憶部４、画像処理部５、印刷部６及び給紙装置７）とのデータ授受を行う各種入出力インタフェース回線等から構成され、複合機１００の全体動作を制御するものである。
内部メモリは、制御プログラム等を記憶している。ＣＰＵは、上記制御プログラムや各種制御用データ等に基づいて制御演算を行うことによって、上記他の各部を統括的に制御する。
そして、本実施形態において制御部８は、縦置き及び横置きに同一サイズの印刷紙が収納されている場合に、これらの印刷紙（本実施形態においてはＡ４サイズ及びＢ５サイズ）のうち、縦置きに収納される印刷紙を用いて印刷（画像形成）を行う縦印刷モード（縦画像形成モード）、あるいは、横置きに収納される印刷紙を横印刷モード（横画像形成モード）が設定可能とされている。これらのモードは、操作表示部１を介してユーザの意思に基づいて設定される。
縦印刷モードでは、縦置きに収納された印刷紙を縦向き（搬送方向に印刷用紙の短手方向が向く向き）に搬送されて印刷部６に給紙され、印刷部６にて画像の印刷が行われた後に、印刷紙が縦向きに排出される。また、横印刷モードでは、横置きに収納された印刷紙を横向き（搬送方向に印刷用紙の長手方向が向く向き）に搬送されて印刷部６に給紙され、印刷部６に画像の印刷が行われた後に、印刷紙が横向きに排出される。
また、縦印刷モードが設定されかつ画像処理部５に横向きの印刷紙に対応する画像データが入力された場合に、画像処理部５は、画像を９０°回転させて縦向きの印刷紙に対応する印刷用の画像データを生成する。また、横印刷モードが設定されかつ画像処理部５に縦向きの印刷紙に対応する画像データが入力された場合に、画像処理部５は、画像を９０°回転させて横向きの印刷紙に対応する印刷用の画像データを生成する。
【００１８】
このような構成において、操作表示部１、通信インタフェース２、原稿読取装置３、画像記憶部４、画像処理部５、印刷部６、給紙装置７及び制御部８は、複合機１００の周知の機能を実現する。
以下、このように構成された複合機１００の特徴的動作について、図３及び図４を参照して説明する。なお、以下の説明においては、種々のサイズ及び向きに対応する複数の画像データによって構成される所定のドキュメントが、予め通信インタフェース２、原稿読取装置３を介して画像記憶部４に記憶されているものとする。
【００１９】
図３は、本実施形態の複合機１００の特徴的動作を説明するためのフローチャートである。
まず、ユーザが操作表示部１に対して所定の作業を行うことによって、制御部８の制御の下に、予め画像記憶部４に記憶されたドキュメントを示すアイコンが表示パネル１ｂに表示される（図４参照）。また、制御部８の制御の下に、縦印刷モードを示すアイコンと横印刷モードを示すアイコンとが表示パネル１ｂに表示される（図４参照）。そして、ユーザによる操作キー１ａに基づいて、ドキュメント及びモードの選択が行われ、制御部８は選択されたドキュメントを構成する画像データ画像記憶部４から読み出すと共にモードの設定を行う（ステップＳ１）。
【００２０】
続いて、制御部８は、モードに応じた印刷処理を行う（ステップＳ２）。
図５は、縦印刷モードが設定された場合における制御部８の動作を説明するためのフローチャートである。
このフローチャートに示すように、縦印刷モードが設定されている場合には、制御部８は、画像記憶部４より取り出した画像データから、該画像データに応じた記録紙のサイズを判定する（ステップＳ１１）。
【００２１】
そして、制御部８は、本実施形態の複合機１００が、ステップＳ１１において判定したサイズの記録紙を縦置きに収納する給紙カセットを有しているかを判定する（ステップＳ１２）。そして、本実施形態の複合機１００が、ステップＳ１１において判定したサイズの記録紙を縦置きに配置された給紙カセットを有している場合には、続いて、画像データが縦向きかを判定する（ステップＳ１３）。
【００２２】
そして、画像データが縦向きであると判定した場合には、ステップＳ１２にて選択された給紙カセットに収納された記録紙を搬送（ステップＳ１４）して該記録紙に対して印刷（ステップＳ１５）を行う。すなわち制御部８は、画像処理部５に画像データを印刷用の画像データに変換させ、さらに印刷部６によって記録紙に画像を印刷する。この結果、縦向きの記録紙に画像が形成されて、さらに当該記録紙が縦向きのまま排紙トレイ９に排出される。
【００２３】
また、画像データが縦向きでない（ステップＳ１３）と判定した場合には、画像データが横向きであることと等しいため、制御部８は、画像データを９０°回転させる処理（ステップＳ１６）を行った後、ステップＳ１２にて選択された給紙カセットに収納された記録紙を搬送（ステップＳ１４）して該記録紙に対して印刷（ステップＳ１５）を行う。すなわち制御部８は、画像処理部５に画像データを９０°回転させて印刷用の画像データに変換させ、さらに印刷部６によって記録紙に画像を印刷する。この結果、縦向きの記録紙に画像が形成されて、さらに当該記録紙が縦向きのまま排紙トレイ９に排出される。
【００２４】
一方、本実施形態の複合機１００が、ステップＳ１１において判定したサイズの記録紙を縦置きに収納する給紙カセットを有していない場合（ステップＳ１２）には、制御部８は、ステップＳ１１において判定したサイズの記録紙を横置きに収納する給紙カセットを有しているかを判定する（ステップＳ１７）。そして、本実施形態の複合機１００が、ステップＳ１１において判定したサイズの記録紙を横置きに配置された給紙カセットを有している場合には、続いて、画像データが横向きであるかを判定する（ステップＳ１８）。
【００２５】
そして、画像データが横向きであると判定した場合には、ステップＳ１７にて選択された給紙カセットに収納された記録紙を搬送（ステップＳ１９）して該記録紙に対して印刷（ステップＳ１５）を行う。なお、ステップＳ１６において判定したサイズの記録紙を横置きに収納する給紙カセットを有していない場合には、制御部８は、例えば表示パネル１ｂを用いてエラーをユーザに対して通知する。
【００２６】
また、画像データが横向きでない（ステップＳ１８）と判定した場合には、画像データが縦向きであることと等しいため、制御部８は、画像データを９０°回転させる処理（ステップＳ２０）を行った後、ステップＳ１７にて選択された給紙カセットに収納された記録紙を搬送（ステップＳ１９）して該記録紙に対して印刷（ステップＳ１５）を行う。すなわち制御部８は、画像処理部５に画像データを９０°回転させて印刷用の画像データに変換させ、さらに印刷部６によって記録紙に画像を印刷する。この結果、横向きの記録紙に画像が形成されて、さらに当該記録紙が横向きのまま排紙トレイ９に排出される。
【００２７】
このように、縦印刷モードでは、縦置きの記録紙が収納されている場合には、優先的に縦置きの記録紙が用いられて記録紙が縦向きに排出される。
【００２８】
図６は、縦印刷モードが設定された場合における制御部８の動作を説明するためのフローチャートである。
このフローチャートに示すように、横印刷モードが設定されている場合には、制御部８は、画像記憶部４より取り出した画像データから、該画像データに応じた記録紙のサイズを判定する（ステップＳ３１）。
【００２９】
そして、制御部８は、本実施形態の複合機１００が、ステップＳ３１において判定したサイズの記録紙を横置きに収納する給紙カセットを有しているかを判定する（ステップＳ３２）。そして、本実施形態の複合機１００が、ステップＳ３１において判定したサイズの記録紙を横置きに配置された給紙カセットを有している場合には、続いて、画像データが横向きであるかを判定する（ステップＳ３３）。
【００３０】
そして、画像データが横向きであると判定した場合には、ステップＳ３２にて選択された給紙カセットに収納された記録紙を搬送（ステップＳ３４）して該記録紙に対して印刷（ステップＳ３５）を行う。すなわち制御部８は、画像処理部５に画像データを印刷用の画像データに変換させ、さらに印刷部６によって記録紙に画像を印刷する。この結果、横向きの記録紙に画像が形成されて、さらに当該記録紙が横向きのまま排紙トレイ９に排出される。
【００３１】
また、画像データが横向きでない（ステップＳ３３）と判定した場合には、画像データが縦向きであることと等しいため、制御部８は、画像データを９０°回転させる処理（ステップＳ３６）を行った後、ステップＳ３２にて選択された給紙カセットに収納された記録紙を搬送（ステップＳ３４）して該記録紙に対して印刷（ステップＳ３５）を行う。すなわち制御部８は、画像処理部５に画像データを９０°回転させて印刷用の画像データに変換させ、さらに印刷部６によって記録紙に画像を印刷する。この結果、横向きの記録紙に画像が形成されて、さらに当該記録紙が横向きのまま排紙トレイ９に排出される。
【００３２】
一方、本実施形態の複合機１００が、ステップＳ１１において判定したサイズの記録紙を縦置きに収納する給紙カセットを有していない場合（ステップＳ３２）には、制御部８は、ステップＳ３１において判定したサイズの記録紙を縦置きに収納する給紙カセットを有しているかを判定する（ステップＳ３７）。そして、ステップＳ３１において判定したサイズの記録紙を縦置きに収納する給紙カセットを有している場合には、制御部８は、続いて、画像データが縦向きであるかを判定する（ステップＳ３８）。
【００３３】
そして、画像データが縦向きであると判定した場合には、ステップＳ１７にて選択された給紙カセットに収納された記録を搬送（ステップＳ３９）して該記録紙に対して印刷（ステップＳ３５）を行う。なお、ステップＳ１６において判定したサイズの記録紙を縦置きに収納する給紙カセットを有していない場合には、制御部８は、例えば表示パネル１ｂを用いてエラーをユーザに対して通知する。
【００３４】
また、画像データが縦向きでない（ステップＳ３８）と判定した場合には、画像データが横向きであることと等しいため、制御部８は、画像データを９０°回転させる処理（ステップＳ４０）を行った後、ステップＳ３７にて選択された給紙カセットに収納された記録紙を搬送（ステップＳ３９）して該記録紙に対して印刷（ステップＳ３５）を行う。すなわち制御部８は、画像処理部５に画像データを９０°回転させて印刷用の画像データに変換させ、さらに印刷部６によって記録紙に画像を印刷する。この結果、縦向きの記録紙に画像が形成されて、さらに当該記録紙が縦向きのまま排紙トレイ９に排出される。
【００３５】
このように、横印刷モードでは、横置きの記録紙が収納されている場合には、優先的に横置きの記録紙が用いられて記録紙が縦向きに排出される。
【００３６】
つまり、このような本実施形態の複合機１００によれば、所定サイズの記録紙を縦置きにて収納する給紙カセットと同じ所定サイズの記録紙を横置きにて収納する給紙カセットとを有している場合には、記録紙がなくならない限り、設定されたモードに応じた向きの記録紙が排出される。すなわち、縦印刷モードに設定されている場合には、画像データの向きによらず、所定サイズの記録紙は全て縦置きのものが選択され、所定サイズの記録紙は全て縦向きに排出される。また、横印刷モードに設定されている場合には、画像データの向きによらず、所定サイズの記録紙は全て横置きのものが選択され、所定サイズの記録紙は全て横向きに排出される。
したがって、本実施形態の複合機１００によれば、画像形成装置において、ユーザの意思に基づいて、排出される記録媒体の向きを統一することが可能となる。
【００３７】
また、本実施形態の複合機１００によれば、縦印刷モードが設定されている場合において、横置きでしか収納していない特定サイズの記録紙に応じた画像データが入力された場合には、横置きに収納された特定サイズを用いて印刷が行われる。すなわち、本実施形態の複合機１００においては、縦印刷モードが設定されている場合であっても、特定サイズの記録紙に応じた画像データが入力された場合には、当該画像データの処理の間のみ、横印刷モードに切り替えられる。
このような構成を採用する本実施形態の複合機１００によれば、異なるサイズ及び向きの複数の画像データを連続して処理する場合に、特定サイズの印刷紙に応じた画像データが入力されても、処理を中断することなく、連続して画像データを処理することが可能となる。
【００３８】
なお、具体的には、本実施形態の複合機１００は、Ａ４サイズの記録紙が、給紙カセット７２に縦置きにて収納され、給紙カセット７５に横置きにて収納されている。また、Ｂ５サイズの記録紙が、給紙カセット７１に縦置きにて収納され、給紙カセット７６に横置きに収納されている。すなわち、本実施形態の複合機１００では、Ａ４サイズの記録紙及びＢ５サイズの記録紙を所定サイズの記録紙として収納している。そして、縦印刷モードが設定されている場合には、給紙カセット７２に収納された縦置きＡ４サイズの記録紙及び給紙カセット７１に収納されたＢ５サイズの記録紙に画像が印刷され、縦向きのＡ４サイズの記録紙及び縦向きのＢ５サイズの記録紙が排出される。一方、横印刷モードが設定されている場合には、給紙カセット７５に収納されたＡ４サイズの記録紙及び給紙カセット７６に収納されたＢ５サイズの記録紙に画像が印刷され、横向きのＡ４サイズの記録紙及び縦向きのＢ５サイズの記録紙が排出される。
したがって、本実施形態の複合機１００によれば、画像データがＡ４サイズあるいはＢ５サイズに応じたものである場合には、縦印刷モードにて縦向きの記録紙が排出され、横印刷モードにて横向きの記録紙が排出される。
【００３９】
また、本実施形態の複合機１００は、Ａ３サイズの記録紙が、横置きにて給紙カセット７３のみ収納されている。また、Ｂ４サイズの記録紙が、横置きにて給紙カセット７４に収納されている。すなわち、本実施形態の複合機１００では、Ａ３サイズ及びＢ４サイズの記録紙を特定サイズの記録紙として収納している。そして、縦印刷モードが設定されている場合であっても、Ａ３サイズ及びＢ４サイズに対応する画像データを処理する場合には、当該画像データの処理の間のみ、横印刷モードに切り替える。
したがって、Ａ３サイズ及びＢ４サイズに対応する画像データを処理する場合であっても、連続する画像データ処理を停止させる必要がない。
【００４０】
以上、本発明の実施形態について図面を参照して詳説したが、具体的な構成は、上記実施形態に限定されるものではなく、本発明の要旨を逸脱しない範囲において設計変更等が可能である。
【００４１】
例えば、上記実施形態では、本発明の画像形成装置の一例として複合機を挙げて説明した。しかしながら、本発明はこれに限定されるものでなく、画像形成装をファクシミリや複写機等に適用することができる。
【図面の簡単な説明】
【００４２】
【図１】本発明の一実施形態における複合機１００の一部の概観を示す斜視図である。
【図２】本発明の一実施形態における複合機１００の機能構成を示すブロック図である。
【図３】本発明の一実施形態における複合機１００の特徴的動作を説明するためのフローチャートである。
【図４】本発明の一実施形態における複合機１００の特徴的動作を説明するための説明図である。
【図５】本発明の一実施形態における複合機１００の特徴的動作を説明するためのフローチャートである。
【図６】本発明の一実施形態における複合機１００の特徴的動作を説明するためのフローチャートである。
【符号の説明】
【００４３】
１００…複合機（画像形成装置）、１…操作表示部（操作手段）、２…通信インタフェース、３…原稿読取装置、４…画像記憶部（記憶手段）、５…画像処理部（画像データ処理手段）、６…印刷部（画像形成手段）、７…給紙装置、８…制御部（制御手段）、７１〜７６…給紙カセット
【図１】
2008216326.tif 000003
【図２】
2008216326.tif 000004
【図３】
2008216326.tif 000005
【図４】
2008216326.tif 000006
【図５】
2008216326.tif 000007
【図６】
2008216326.tif 000008